(57)【要約】【課題】汎用性を備えると共に鋏の使用時及び不使用時に関わらず鋏の安全性を向上させることができる鋏用キャップを提供することにある。【解決手段】鋏用キャップ１９は、両被覆壁２２の基端側に、前記鋏１１の軸芯１５に対して着脱可能に係合し、この係合状態を保持する係合凹部Ｋが設けられている。また、鋏用キャップ１９は、両刃体１３ａ，１３ｂを開閉動作させる際に両刃体１３ａ，１３ｂの幅方向の隣接する端部のうち交差する部分が移動してできる仮想線に沿うように切り欠き形成される先端側スリット２３が設けられている。この仮想線は直線状であって、先端側スリット２３はこの仮想線に沿って一定幅に形成されている。【選択図】      図１
2004305690.tif 000002
【特許請求の範囲】
【請求項１】
柄部と刃体を有する一対の鋏片を軸芯により互いに開閉可能に支持して構成した鋏の両刃体を収容する鋏用キャップであって、前記鋏片又は軸芯の少なくともいずれか一方に対して着脱可能に係合し、この係合状態を保持する係合手段と、前記両刃体をキャップ本体に収容した状態で両刃体を開閉動作させる際に両刃体の幅方向の隣接する端部のうち交差する部分が移動してできる仮想線を含むように形成される先端側スリットとを備えた鋏用キャップ。
【請求項２】
前記仮想線は直線状であって、前記先端側スリットは前記直線状の仮想線に沿って一定幅に形成されている請求項１に記載の鋏用キャップ。
【請求項３】
前記キャップ本体は、前記先端側スリットに連設され且つ先端側スリットから離間する方向へ形成されて被切断物を先端側スリットからキャップ本体外方へ案内する案内手段を備えた請求項１又は請求項２に記載の鋏用キャップ。
【請求項４】
前記先端側スリットから離間する方向は、前記先端側スリットからキャップ本体の幅方向端部側に向かう方向である請求項３に記載の鋏用キャップ。
【請求項５】
前記案内手段は、円弧状に湾曲するように形成されている請求項３又は請求項４に記載の鋏用キャップ。
【請求項６】
前記係合手段は、係合凹部である請求項１〜請求項５のうちいずれか一項に記載の鋏用キャップ。
【請求項７】
前記キャップ本体は、その幅方向両端に設けられる一対の側壁とキャップ本体の厚さ方向両端に設けられる一対の被覆壁とを含んで構成され、両側壁は、互いに接近する方向へ湾曲するように形成されている請求項１〜請求項６のうちいずれか一項に記載の鋏用キャップ。
【請求項８】
前記キャップ本体は、その幅方向両端がキャップ本体の幅を狭くする方向へ湾曲するように形成されている請求項１〜請求項７のうちいずれか一項に記載の鋏用キャップ。
【請求項９】
柄部と刃体を有する一対の鋏片を軸芯により互いに開閉可能に支持して構成され、請求項１〜請求項８のうちいずれか一項に記載の鋏用キャップに両刃体を収容し、一体的取扱可能に構成された鋏。
【発明の詳細な説明】
【０００１】
【発明の属する技術分野】
本発明は、鋏の両刃体を収容した状態で鋏を使用可能とする鋏用キャップ及び鋏に関するものである。
【０００２】
【従来の技術】
従来、使用時の安全性を向上させる点に着目した鋏としては、例えば特許文献１に記載されたものが知られている。
【０００３】
即ち、図９に示すように、前記鋏５１は一対の鋏片５２を備えている。各鋏片５２は刃体５３と柄部５４とを備えている。両鋏片５２は、軸芯５５により互いに開閉可能に支持されている。また、両柄部５４のうち一方の柄部５４ａには、カバー５６が一体的に形成され、該カバー５６は、その内部に、前記一方の柄部５４ａに対して他方の柄部５４ｂを開いた際に他方の柄部５４ｂと連設された他方の刃体５３ｂが挿入される空洞部５７を備えている。また、一方の刃体５３ａの先端には、キャップ５８が被嵌されている。そして、鋏５１を使用する際には、両鋏片５２を開動作させた状態で、一方の刃体５３ａと空洞部５７の開口部との間に紙などの被切断物を挿入し、両鋏片５２を開閉動作させて被切断物を切断するようになっている。前記鋏５１は、カバー５６を備えることにより、鋏５１の使用時に両刃体５３ａ，５３ｂの間に指を挟んでしまうことを防止している。
【０００４】
一方、鋏の不使用時の安全性を向上させるためのものとして、一般的に、鋏のキャップが知られている。このキャップは、鋏の両刃体を閉じた状態で収容するものである。同様に、鋏の不使用時の安全性を向上させる点に着目した鋏としては、例えば特許文献２に記載されたものが知られている。
【０００５】
即ち、図１０に示すように、前記鋏６１は一対の鋏片６２を備えている。各鋏片６２は刃体６３と柄部６４とを備えている。両鋏片６２は、軸芯６５により互いに開閉可能に支持されている。また、鋏６１の軸芯６５が設けられている部位には、ばね６６が装着され、このばね６６により、両鋏片６２は開放する方向へ付勢されている。このように構成された鋏６１は、その全体が不使用時にケース６７に収容されている。ケース６７は、その長手方向の一側面に開口部６７ａを形成し、その短手方向の両側面に開口部６７ｂ，６７ｄを形成する。開口部６７ｂは、両柄部６４のうち一方の柄部６４ａ（図１０の上方に位置する柄部）の外側面に設けられた滑り止め（図示せず）をケース６７の外側へ露出させるように機能する。そして、ケース６７の内壁には、この滑り止めが設けられた側の柄部６４ａをケース６７の長手方向へ移動可能にする案内手段６７ｃが具備されている。
【０００６】
鋏６１の不使用状態は、図１０に示すとおり、ケース６７に鋏６１全体が覆われている。この不使用状態の鋏６１を使用状態にするには、まず、開口部６７ｂに露出する滑り止めの設けられた柄部６４ａをケース６７の長手方向（図１０の左方）へ案内手段６７ｃに従って移動させる。この移動に伴って、ばね６６の付勢力によってケース６７の内壁に付勢されていた他方の柄部６４ｂが該内壁との当接関係から開放されて開口部６７ｄから飛び出る。また、両刃体６３が開口部６７ａからケース６７の外側へ突出されるのである。両刃体６３は、柄部６４ｂがケース６７の内壁との当接関係にあるときには互いに重なり合う閉状態にあるが、柄部６４ｂが開口部６７ｄから飛び出ると、切断可能な開状態に到る。従って、両柄部６４ａ，６４ｂをばね６６の付勢力に抗して接近させたり、該付勢力よって離間させたりすることで被切断物が切断されるようになっている。
【０００７】
【特許文献１】
実用新案登録第３０７０５０７号公報
【特許文献２】
実開平４−３２６６７号公報
【０００８】
【発明が解決しようとする課題】
ところが、鋏５１は、カバー５６が一方の柄部５４ａと一体的に形成されており、該カバー５６を鋏５１から取り外すことのできる構成とはなっていない。即ち、このカバー５６は、鋏５１に対して着脱可能に構成されておらず、鋏５１の専用品となっている。従って、カバー５６を他の鋏に用いることができないという問題があった。さらに、鋏５１は、一方の刃体５３ａが、常時露出した状態となっており、安全性の面からみて、更なる改良の余地が残されている。
【０００９】
また、鋏６１においても、鋏６１全体が、ケース６７内に収納された状態となっており、該ケース６７を他の鋏に用いることができないという問題があった。
さらに、鋏６１は、その使用時に、両刃体６３がケース６７の外側へ突出されて両刃体６３が露出した状態となるので、安全性の面からみて、更なる改良の余地が残されている。
【００１０】
この発明は、このような従来の技術に存在する問題点に着目してなされたものであり、その目的は、汎用性を備えると共に鋏の使用時及び不使用時に関わらず鋏の安全性を向上させることができる鋏用キャップを提供することにある。また、使用時及び不使用時に関わらず安全性を向上させることができる鋏を提供することにある。
【００１１】
【課題を解決するための手段】
上記問題点を解決するために、請求項１に記載の発明は、柄部と刃体を有する一対の鋏片を軸芯により互いに開閉可能に支持して構成した鋏の両刃体を収容する鋏用キャップであって、前記軸芯に対して着脱可能に係合し、この係合状態を保持する係合手段と、前記両刃体をキャップ本体に収容した状態で両刃体を開閉動作させる際に両刃体の幅方向の隣接する端部のうち交差する部分が移動してできる仮想線を含むように形成される先端側スリットとを備えたことを要旨とする。この鋏用キャップは、鋏の両刃体の全体を収容するように構成されることで鋏の安全性向上に寄与する。そして、先端側スリットは、刃体の幅方向の端部のうち被切断物の切断に関与すべく交差する部分が移動してできる交差点の軌跡としての仮想線を含むように形成される。つまり、被切断物を両刃体の間に配置する上で最も合理的な位置にセットされるように先端側スリットは形成されているのである。この先端側スリットは、前記仮想線の一部又は全部を含むあらゆる形状のものを想定しており、一般技術用語における単なる「スリット」の形状に限らない。
【００１２】
請求項２に記載の発明は、請求項１に記載の鋏用キャップにおいて、前記仮想線は直線状であって、前記先端側スリットは前記直線状の仮想線に沿って一定幅に形成されていることを要旨とする。ここでいう一定幅とは、幅が厳密に一定であるものに加えて、先端側スリットを形成する過程における技術的関係で先端側スリットの先端側が若干幅広に形成されているものや先端側スリットへの被切断物の挿入のし易さを考慮して先端側スリットの先端側が若干幅広に形成されているものも含む略一定幅も想定している。
【００１３】
請求項３に記載の発明は、請求項１又は請求項２に記載の鋏用キャップにおいて、前記キャップ本体は、前記先端側スリットに連設され且つ先端側スリットから離間する方向へ形成されて被切断物を先端側スリットからキャップ本体外方へ案内する案内手段を備えたことを要旨とする。ここでいうキャップ本体外方とは、被切断物がキャップ本体から排出されれば、その方向は限定されない。
【００１４】
請求項４に記載の発明は、請求項３に記載の鋏用キャップにおいて、前記先端側スリットから離間する方向は、前記先端側スリットからキャップ本体の幅方向端部側に向かう方向であることを要旨とする。
【００１５】
請求項５に記載の発明は、請求項３又は請求項４に記載の鋏用キャップにおいて、前記案内手段は、円弧状に湾曲するように形成されていることを要旨とする。
【００１６】
請求項６に記載の発明は、請求項１〜請求項５のうちいずれか一項に記載の鋏用キャップにおいて、前記係合手段は、係合凹部であることを要旨とする。ここでいう係合凹部とは、凸状に形成される軸芯部位に対して凹凸の係合関係をなすあらゆる形状を想定している。
【００１７】
請求項７に記載の発明は、請求項１〜請求項６のうちいずれか一項に記載の鋏用キャップにおいて、前記キャップ本体は、その幅方向両端に設けられる一対の側壁とキャップ本体の厚さ方向両端に設けられる一対の被覆壁とを含んで構成され、両側壁は、互いに接近する方向へ湾曲するように形成されていることを要旨とする。鋏の両刃体が収容されるキャップ本体の収容空間は、前記両側壁と両被覆壁とによって囲まれている。この互いに接近する方向へ湾曲形成される各側壁は、鋏の刃体と接触することで刃体の最大開度を決定付けることになる。
【００１８】
請求項８に記載の発明は、請求項１〜請求項７のうちいずれか一項に記載の鋏用キャップにおいて、前記キャップ本体は、その幅方向両端がキャップ本体の幅を狭くする方向へ湾曲するように形成されていることを要旨とする。
【００１９】
請求項９に記載の発明は、柄部と刃体を有する一対の鋏片を軸芯により互いに開閉可能に支持して構成され、請求項１〜請求項８のうちいずれか一項に記載の鋏用キャップに両刃体を収容し、一体的取扱可能に構成されたことを要旨とする。
【００２０】
【発明の実施の形態】
以下、本発明を具体化した第１実施形態を図１〜図５に従って説明する。なお、以下の鋏１１における説明において、「先端側」という場合は、各鋏片１２の刃体１３側を先端側とし、「基端側」という場合は、各鋏片１２の柄部１４側を基端側としているものとする。
【００２１】
図１及び図４に示すように、本実施形態における鋏１１は一対の鋏片１２より構成されている。各鋏片１２は、それぞれの先端側に設けられた金属製（例えば、ステンレス製）の刃体１３と、該刃体１３に結合されてそれぞれの基端側に設けられた木製の柄部１４とを備えている。前記刃体１３、柄部１４の材質については、前述の材質に限定されることはなく適宜変更可能である。そして、前記各鋏片１２は、その長手方向の略中間部において軸芯１５により、互いに開閉可能に支持されている。図２に示すように、この軸芯１５は、円盤形状に形成された頭部１５ａを備え、該頭部１５ａと反対側の頭部１５ｂ側から両鋏片１２を貫通し、両鋏片１２から突出した頭部１５ｂが潰され、両鋏片１２を互いに開閉可能に締結するものである。また、頭部１５ｂも円盤形状をなし、一方の頭部１５ａが他方の頭部１５ｂに比べ、その直径が大きく形成されると共に肉厚に形成されている。
【００２２】
図１及び図４に示すように、両刃体１３のうち一方の刃体（以下、「第１の刃体」という）１３ａには、軸芯１５により支持されている部位よりも基端側の部位に突起１６が突出するように一体形成されている。また、両刃体１３のうち他方の刃体（以下、「第２の刃体」という）１３ｂには、軸芯１５により支持されている部位よりも基端側で、且つ前記突起１６に対応する部位にスライド溝１７が貫通形成されている。そして、両鋏片１２を開閉動作させた場合、突起１６がスライド溝１７に沿って案内される。従って、両鋏片１２の開放可能な範囲は、スライド溝１７の長手方向の長さにより規定される。
【００２３】
図１及び図２に示すように、両柄部１４は略半球状に形成され、その球面部１４ａが両柄部１４の対向する側とは反対側（両柄部１４の外側）となるように設けられている。また、両柄部１４の対向する対向面１４ｂには、該対向面１４ｂから突出するストッパー部材１４ｃが設けられている。そして、両鋏片１２を閉動作させた場合、両ストッパー部材１４ｃが互いに衝突し、衝突音を発する。即ち、両柄部１４は、カスタネットと同様の原理により音を発するようになっている。また、両柄部１４の対向面１４ｂ間には一対の付勢手段としてのコイルスプリング１８が架設されている。両柄部１４の対向面１４ｂには、両刃体１３ａ，１３ｂを含む仮想平面を挟んだ位置で、且つ該仮想平面からの距離が等しい位置に各コイルスプリング１８の一端が配置されている（図２参照）。そして、両コイルスプリング１８により両鋏片１２は互いに開放する方向へ付勢されている。従って、両鋏片１２は、両柄部１４を閉動作させる力が加えられていない状態では、互いに開放した状態となっている。このとき、両鋏片１２は、スライド溝１７により規定される開放可能な範囲内の最大開放状態となっている。
【００２４】
次に、前記鋏１１の両刃体１３ａ，１３ｂを収容する鋏用キャップ１９について図３に基づき詳細に説明する。なお、以下の鋏用キャップ１９における説明において、「先端側」という場合は、鋏用キャップ１９に両刃体１３ａ，１３ｂを収容した状態で両刃体１３ａ，１３ｂの先端側に位置する側を先端側とし、「基端側」という場合は、両刃体１３ａ，１３ｂの基端側に位置する側を基端側としているものとする。
【００２５】
図３（ａ）及び図３（ｂ）に示すように、鋏用キャップ１９のキャップ本体２０は筒状をなしており、その先端側に先端側開口部２０ａを、基端側に基端側開口部２０ｂを有する。また、キャップ本体２０は、透明な合成樹脂素材から形成されている。キャップ本体２０の材質については、前述の材質に限定されることはなく適宜変更可能である。例えば、キャップ本体２０の材質を木製としても良い。
【００２６】
前記キャップ本体２０は、その幅方向両端がキャップ本体２０の幅を狭くする方向へ湾曲するように形成されている。また、キャップ本体２０は、その幅方向両端に設けられる一対の側壁２１とキャップ本体２０の厚さ方向両端に設けられる一対の被覆壁２２とから構成されている。両側壁２１は、その長手方向の略中間部より基端側が互いに接近する方向へ湾曲するように形成されている。また、両被覆壁２２は略板状をなし、その幅方向両端の外郭形状が両側壁２１の外周面に沿う形状となっている。両被覆壁２２の先端側は湾曲形成され、その湾曲形成された部位は、両側壁２１の先端側の端部を結ぶ仮想面Ｐよりも張り出している。そして、両被覆壁２２には、その先端側から両被覆壁２２の幅方向を二等分するように両被覆壁２２と垂直方向に沿って先端側スリット２３が切り込み形成されている。この先端側スリット２３は、直線状であって、両被覆壁２２の中途位置まで形成されている。また、先端側スリット２３の幅は、先端側スリット２３の長手方向において一定となるように形成されている。
【００２７】
また、両被覆壁２２の基端側には、前記鋏１１の軸芯１５に対して着脱可能に係合し、この係合状態を保持する係合手段としての係合凹部Ｋが形成されている。この係合凹部Ｋは、両被覆壁２２の最も基端側に設けられる案内スリット２４と、該案内スリット２４の先端側に連設される切欠部２５と、該切欠部２５の先端側に連設される切欠スリット２６とから構成される。
【００２８】
前記案内スリット２４は、被覆壁２２の基端側から被覆壁２２の幅方向を二等分するように被覆壁２２と垂直方向に沿って切り込み形成されている。この案内スリット２４は基端側へ向かう程幅広に形成されている。案内スリット２４の基端側入口の幅は、前記鋏１１の軸芯１５の頭部１５ａの直径より大きく形成され、案内スリット２４の先端側出口の幅は、軸芯１５の頭部１５ａの直径より僅かに小さく形成されている。このように構成された案内スリット２４は、両被覆壁２２に設けられている。
【００２９】
また、前記切欠部２５は、案内スリット２４の先端側に略半円状に切り欠き形成されている。また、切欠部２５の内径は、案内スリット２４の先端側の幅より大きく、前記鋏１１の軸芯１５の頭部１５ａの直径と略等しくなるように形成されている。また、切欠スリット２６は、切欠部２５の先端側から被覆壁２２の幅方向を二等分するように被覆壁２２と垂直方向に沿って切り込み形成されている。切欠スリット２６の幅は、先端側スリット２３の幅と等しくなるように形成されている。切欠スリット２６は、切欠部２５の先端側端部から被覆壁２２の中途位置まで形成されている。前記先端側スリット２３、案内スリット２４、切欠部２５及び切欠スリット２６により二等分された被覆壁２２の両部分は、被覆壁２２における先端側スリット２３の基端側端部と切欠スリット２６の先端側端部との間の部分により連結されていることになる。このように構成された切欠部２５及び切欠スリット２６は、両被覆壁２２に設けられている。
【００３０】
前記両側壁２１及び両被覆壁２２により構成されたキャップ本体２０は、両側壁２１及び両被覆壁２２により囲まれる収容空間Ｓをキャップ本体２０内に備えている。この収容空間Ｓが、鋏１１の両刃体１３ａ，１３ｂを収容する収容スペースである（図１参照）。この収容空間Ｓは、両側壁２１の形状により、切欠部２５の先端側近傍位置が狭くなっている。鋏１１において、両鋏片１２のうち軸芯１５により支持されている部位及びその近傍位置は、両鋏片１２を開閉動作させた場合に、鋏１１の長手方向と略垂直な方向への動作が少ない。このことから、鋏１１の両刃体１３ａ，１３ｂを鋏用キャップ１９に収容した際に、軸芯１５の頭部１５ａに係合する切欠部２５の先端側近傍位置を狭くすることが可能となる。
【００３１】
次に、前記鋏１１の両刃体１３ａ，１３ｂを鋏用キャップ１９に収容する際の作用について、図１、図４及び図５に基づき説明する。
まず、両コイルスプリング１８の付勢力により開放した状態にある両鋏片１２（図４に実線で示す）を、両コイルスプリング１８の付勢力に抗して両柄部１４を閉動作させ、両鋏片１２が閉じた状態とする（図４に二点鎖線で示す）。この状態で、鋏用キャップ１９（キャップ本体２０）を、その基端側開口部２０ｂ側から両刃体１３ａ，１３ｂがキャップ本体２０の収容空間Ｓ内へ挿入されるように移動させ、両刃体１３ａ，１３ｂをキャップ本体２０に収容する。このとき、鋏１１の軸芯１５の頭部１５ａは案内スリット２４によって切欠部２５に案内され、頭部１５ａに対して切欠部２５が係合し、この係合状態が保持される。この案内スリット２４は、軸芯１５をキャップ本体２０の先端側へ案内する機能を有する。また、切欠部２５は、軸芯１５に対して着脱可能に係合し、軸芯１５との係合状態を保持する機能を有する。また、切欠スリット２６は、軸芯１５が案内スリット２４によって切欠部２５に案内される際、キャップ本体２０における案内スリット２４及び切欠部２５によって二等分される部分を、両部分が離れる方向へ開きやすくする機能を有する。また、案内スリット２４、切欠部２５及び切欠スリット２６から構成される係合凹部Ｋと軸芯１５の頭部１５ａとの係合関係は水平方向に作用するものである。
【００３２】
そして、図５に示すように、両刃体１３ａ，１３ｂをキャップ本体２０に収容した状態で、両柄部１４に加えている両コイルスプリング１８の付勢力に抗する力を解くと、両柄部１４が両コイルスプリング１８の付勢力により開動作し、両鋏片１２が開放した状態となる（図１参照）。このとき、両刃体１３ａ，１３ｂは、キャップ本体２０の両側壁２１の内側面のうち湾曲している部分と当接する。この状態は、両鋏片１２が最大開放状態より、僅かに、両鋏片１２が両コイルスプリング１８の付勢力に抗して閉動作した状態である。従って、両鋏片１２の最大開放状態は、両側壁２１の内側面の幅によって規定されている。
【００３３】
以上のように、鋏用キャップ１９に両刃体１３ａ，１３ｂを収容してなる鋏１１は、一体的取扱可能に構成される。
次に、このように一体的取扱可能に構成された鋏１１の作用について図１に基づき説明する。
【００３４】
図１に示すように、鋏１１の両刃体１３ａ，１３ｂがキャップ本体２０に収容され、両鋏片１２が開放した状態で、キャップ本体２０の先端側スリット２３に被切断物を挿入する。そして、鋏１１の両柄部１４を両コイルスプリング１８の付勢力に抗して閉動作（近接）させたり、該付勢力によって開動作（離間）させたりすることで被切断物が切断される。このとき、鋏１１の軸芯１５の頭部１５ａが切欠部２５に係合しており、両刃体１３ａ，１３ｂがキャップ本体２０から抜け落ちるのを抑制する。また、キャップ本体２０の先端側スリット２３は、両刃体１３ａ，１３ｂを開閉動作させる際に両刃体１３ａ，１３ｂの幅方向の隣接する端部のうち交差する部分が移動してできる仮想線に沿うようになっている。この両刃体１３ａ，１３ｂの幅方向の隣接する端部とは、両刃体１３ａ，１３ｂにおける、被切断物を切断する側の端部である。また、この仮想線は直線状であって、先端側スリット２３はこの仮想線に沿って一定幅に形成されている。また、図１に示すように、先端側スリット２３は、キャップ本体２０の先端側端部から、鋏１１の両刃体１３ａ，１３ｂをキャップ本体２０に収容して両鋏片１２を最大に開放した状態で、両刃体１３ａ，１３ｂの幅方向の隣接する端部のうち交差する部分に対応する部位まで形成されている。
【００３５】
次に、鋏１１の両刃体１３ａ，１３ｂをキャップ本体２０から抜き取る際の作用について図５に基づき説明する。
図５に示すように、両刃体１３ａ，１３ｂがキャップ本体２０に収容された状態にある鋏１１の両柄部１４を両コイルスプリング１８の付勢力に抗して閉動作させる。そして、この状態で、両柄部１４を持ち、キャップ本体２０を両刃体１３ａ，１３ｂがキャップ本体２０から抜け出る方向へ引っ張ると、鋏１１の軸芯１５とキャップ本体２０の切欠部２５との係合状態が解除される。さらに、キャップ本体２０を引っ張ると、軸芯１５が案内スリット２４に案内され、両刃体１３ａ，１３ｂがキャップ本体２０から抜き取られる。
【００３６】
従って、本実施形態によれば以下のような効果を奏する。
（１）  鋏用キャップ１９は、係合凹部Ｋと先端側スリット２３とを備えている。そのため、係合凹部Ｋという簡単な構成で、鋏用キャップ１９が両刃体１３ａ，１３ｂから抜け落ちることを確実に抑制することができる。また、軸芯１５に係合凹部Ｋ（切欠部２５）を係合させたり、この係合状態を解除することにより、両刃体１３ａ，１３ｂを鋏用キャップ１９に収容したり、両刃体１３ａ，１３ｂを鋏用キャップ１９から抜き取ったりすることができる。従って、簡単な操作で両刃体１３ａ，１３ｂに対する鋏用キャップ１９の着脱が可能となる。また、軸芯１５と係合凹部Ｋ（切欠部２５）との係合状態を解除することにより、両刃体１３ａ，１３ｂを鋏用キャップ１９から抜き取り、該鋏用キャップ１９に他の鋏１１の両刃体１３ａ，１３ｂを収容することができる。従って、鋏用キャップ１９は、複数の鋏１１に対して使用することができる汎用性を備えている。また、鋏１１の両刃体１３ａ，１３ｂを鋏用キャップ１９に収容した状態で、先端側スリット２３に被切断物を挿入して切断することができる。従って、鋏１１の不使用時は勿論のこと、使用時においても鋏１１の両刃体１３ａ，１３ｂが鋏用キャップ１９に収容された状態となっているので、鋏１１の安全性を向上させることができる。特に、幼児が鋏１１を使用する際に、安全性の面からみて優れている。
【００３７】
（２）  鋏用キャップ１９は、係合凹部Ｋと先端側スリット２３とを備える簡単な構成となっている。従来技術で挙げた鋏５１のカバー５６は、カバー５６が一方の柄部５４ａと一体的に形成されており、使用時における鋏５１の安全性を向上させるための構成が複雑である。これに対し、本実施形態の鋏用キャップ１９は、簡単な構成で、鋏１１の使用時及び不使用時に関わらず鋏１１の安全性を向上させることができる。また、前記鋏５１のカバー５６は、一方の柄部５４ａと一体的に形成されており、被切断物を切断する際に邪魔になるが、鋏用キャップ１９は、鋏１１の両刃体１３ａ，１３ｂを収容した状態で鋏１１を使用することができ、被切断物を切断する際に邪魔にならない。また、前記鋏６１のケース６７では、鋏６１の使用前に、両刃体６３を開口部６７ａからケース６７の外側へ突出させる煩雑な作業が必要となるが、鋏用キャップ１９では、鋏１１の両刃体１３ａ，１３ｂを収容した状態で鋏１１を使用することができるので、鋏１１の使用前に煩雑な作業をする必要がない。また、前記カバー５６は柄部５４ａに一体的に形成されているので、カバー５６内に被切断物の切屑が入ってしまった場合に、カバー５６内から切屑を取り出すのが困難である。これに対し、本実施形態の鋏用キャップ１９は、軸芯１５と係合凹部Ｋとの係合状態を解除することにより、両刃体１３ａ，１３ｂを抜き取ることができ、鋏用キャップ１９内から切屑を容易に取り出すことができる。
【００３８】
（３）  切欠部２５は、案内スリット２４の先端側に連設されている。従って、鋏１１の両刃体１３ａ，１３ｂを鋏用キャップ１９に収容する際、軸芯１５を切欠部２５にスムーズに案内することができ、収容する際の動作を円滑に行うことができる。
【００３９】
（４）  切欠部２５の内径は、案内スリット２４の先端側の幅より大きくなるように形成されている。従って、鋏１１の軸芯１５に切欠部２５が係合した状態で、軸芯１５と切欠部２５との係合状態が簡単に解除されるのを抑制することができる。
【００４０】
（５）  係合凹部Ｋは切欠スリット２６を備えている。そのため、切欠部２５の内径が、案内スリット２４の先端側の幅より大きくなるように形成することができる。換言すると、案内スリット２４の先端側の幅を軸芯１５の頭部１５ａの外径より小さく形成することができる。その結果、軸芯１５と切欠部２５との係合状態が簡単に解除されるのを抑制することができる。
【００４１】
（６）  キャップ本体２０の両側壁２１は、その略中間部より基端側が互いに接近する方向へ湾曲するように形成されている。そのため、収容空間Ｓは、切欠部２５の先端側近傍位置が狭くなっている。従って、キャップ本体２０が両刃体１３ａ，１３ｂに対して不安定に動くことを抑制している。具体的には、両刃体１３ａ，１３ｂが、キャップ本体２０の両側壁２１の内側面のうち湾曲している部分と当接し、鋏１１の不使用時に、キャップ本体２０が両刃体１３ａ，１３ｂに対して不安定に動くことを抑制することができる。
【００４２】
（７）  キャップ本体２０は、その幅方向両端がキャップ本体２０の幅を狭くする方向へ湾曲するように形成されている。鋏１１の両刃体１３ａ，１３ｂを鋏用キャップ１９に収容する際、両刃体１３ａ，１３ｂを鋏用キャップ１９から抜き取る際に、キャップ本体２０の幅方向両端を持って行うことができる。その結果、収容する際の動作及び抜き取る際の動作を円滑に行うことができる。また、キャップ本体２０の幅が狭くなる分、鋏用キャップ１９の材料コストを低減することができる。
【００４３】
（８）  鋏１１は、両鋏片１２を互いに開放する方向へ付勢する一対のコイルスプリング１８を備えている。そのため、被切断物を切断する際に、両柄部１４を閉動作させる際の力のみをかければよいことになる。従って、鋏１１の切断動作を円滑に行うことができる。また、鋏１１の不使用時に、両刃体１３ａ，１３ｂが、両コイルスプリング１８の付勢力により、キャップ本体２０の両側壁２１の内側面に当接する。従って、キャップ本体２０が両刃体１３ａ，１３ｂに対して不安定に動くことを抑制することができる。さらに、鋏１１の不使用時には、両刃体１３ａ，１３ｂが先端側スリット２３から露出することがなく、鋏１１の安全性をさらに向上させることができる。
【００４４】
（９）  案内スリット２４は基端側へ向かう程幅広に形成されている。そのため、案内スリット２４の先端側出口の幅を、軸芯１５の頭部１５ａの直径より僅かに小さく形成した場合にも、案内スリット２４の基端側入口の幅を大きく形成できる。従って、軸芯１５の頭部１５ａを案内スリット２４の基端側入口から案内スリット２４内へ円滑に案内することができる。
【００４５】
（１０）  鋏用キャップ１９は透明であるので、鋏用キャップ１９に鋏１１の両刃体１３ａ，１３ｂを収容する際の違和感を払拭することができる。
（１１）  両柄部１４は、カスタネットと同様の原理により音を発するようになっているので、遊び心に富んでいる。
【００４６】
次に、本発明を具体化した第２実施形態を図６に従って説明する。
なお、本実施形態は、鋏用キャップ１９及び鋏１１の構成において前記第１実施形態とは一部の相違点を除きほぼ同一構成になっている。そのため、以下では、前記第１実施形態と同一構成の部分についての重複説明は省略し、その相違点のみを説明する。
【００４７】
さて、図６（ｂ）に示すように、本実施形態における鋏１１の軸芯１５は、その頭部１５ａと第２の刃体１３ｂの間及び頭部１５ｂと第１の刃体１３ａの間に円盤形状をなす台座３０，３１が設けられている。台座３０と第２の刃体１３ｂ及び台座３１と第１の刃体１３ａは、それぞれ当接するように形成されている。
また、頭部１５ａと台座３０の両対向面間の距離、及び頭部１５ｂと台座３１の両対向面間の距離は、両被覆壁２２の厚さと略等しくなるように形成されている。
【００４８】
また、図６（ａ）及び図６（ｂ）に示すように、キャップ本体２０の両被覆壁２２は、その長手方向の略中間部より基端側が互いに接近する方向へ湾曲するように形成されている。なお、図示されていないが、両被覆壁２２の最も湾曲している部分からキャップ本体２０の基端側端部にかけて、キャップ本体２０の幅方向の略中央部分が略水平面状をなすように形成されている。また、本実施形態のキャップ本体２０も、係合凹部Ｋを備えている。この係合凹部Ｋは、被覆壁２２の基端側から被覆壁２２の幅方向を二等分するように被覆壁２２と垂直方向に沿って切り込み形成されている。このように構成された係合凹部Ｋは、両被覆壁２２に設けられている。係合凹部Ｋは先端側へ向かう程幅狭に形成されている。この係合凹部Ｋの中途位置の幅と、前記軸芯１５における台座３０と頭部１５ａの間の軸部分１５ｃ及び台座３１と頭部１５ｂの間の軸部分１５ｃの外径は略等しくなるように形成されている。この中途位置は、両被覆壁２２の最も湾曲している部分（図６（ｂ）に示す厚さ方向の最も湾曲している部分）に対応する。
【００４９】
そして、両刃体１３ａ，１３ｂを鋏用キャップ１９に収容する際、キャップ本体２０の基端側における係合凹部Ｋの幅方向両端を構成する被覆壁２２の端部が、台座３０と頭部１５ａの間及び台座３１と頭部１５ｂの間に押し込まれると共に、軸芯１５の両軸部分１５ｃが係合凹部Ｋに挿入される。このように、係合凹部Ｋの幅方向両端を構成する被覆壁２２の端部が、台座３０と頭部１５ａの間及び台座３１と頭部１５ｂの間に挟持されつつ、軸芯１５の両軸部分１５ｃが、係合凹部Ｋによって両被覆壁２２の最も湾曲している部分まで案内される。そして、軸芯１５（両軸部分１５ｃ）に対して係合凹部Ｋが係合し、この係合状態が保持される。即ち、両軸部分１５ｃは、係合凹部Ｋの幅方向両端を構成する被覆壁２２の端部と軸部分１５ｃの外周面とが当接する部位により、軸芯１５の軸方向と略垂直方向から挟持されている。また、両被覆壁２２の最も湾曲している部分は、台座３０と頭部１５ａ及び台座３１と頭部１５ｂにより挟持されている。
【００５０】
従って、本実施形態によれば前記第１実施形態の（１），（２），（６）〜（８），（１０），（１１）と同様の効果に加えて、以下のような効果を奏する。（１２）  鋏１１の軸芯１５は、両頭部１５ａ，１５ｂ及び両台座３０，３１を備え、鋏用キャップ１９（キャップ本体２０）は、係合凹部Ｋを備えている。従って、鋏１１の軸芯１５（両軸部分１５ｃ）に係合凹部Ｋが係合した状態で、軸芯１５と係合凹部Ｋとの係合状態が簡単に解除されるのを抑制することができる。
【００５１】
次に、本発明を具体化した第３実施形態を図７及び図８に従って説明する。
なお、本実施形態は、鋏１１の構成が前記第１実施形態と同一構成になっており、鋏用キャップ１９の構成が前記第１実施形態とは一部の相違点を除きほぼ同一構成になっている。そのため、以下では、前記第１実施形態と同一構成の部分について説明が重複することから省略することにし、その相違点のみを説明する。また、以下のキャップ本体２０の説明において、図８に示すように鋏用キャップ１９に両刃体１３ａ，１３ｂを収容した状態で、両刃体１３ａ，１３ｂのうち第２の刃体１３ｂに最も近い側の被覆壁２２を「第２の被覆壁２２ｂ」といい、第１の刃体１３ａに最も近い側の被覆壁２２を「第１の被覆壁２２ａ」という。
また、キャップ本体２０の幅方向において、両刃体１３ａ，１３ｂのうち第２の刃体１３ｂ側に位置する側壁２１を「第２の側壁２１ｂ」といい、第１の刃体１３ａ側に位置する側壁２１を「第１の側壁２１ａ」という。
【００５２】
さて、図７（ａ）及び図７（ｂ）に示すように、キャップ本体２０には、両先端側スリット２３の基端側に連設される案内手段としてのガイド４０が設けられている。このガイド４０は、先端側スリット２３（両刃体１３ａ，１３ｂを開閉動作させる際に両刃体１３ａ，１３ｂの幅方向の隣接する端部のうち交差する部分が移動してできる仮想線）から離間する方向へ形成されている。具体的には、ガイド４０は、先端側スリット２３からキャップ本体２０の幅方向端部側に向かう方向へ形成されている。また、ガイド４０は、両刃体１３ａ，１３ｂをキャップ本体２０に収容した状態における両鋏片１２の基端側へ張り出すように円弧状に湾曲形成されている。そして、ガイド４０は、被切断物としての紙Ｐａ（図８参照）を先端側スリット２３からキャップ本体２０外方へ案内する。なお、以下の説明において、キャップ本体２０における第２の被覆壁２２ｂ側に設けられているガイド４０を「第２のガイド４０ｂ」といい、第１の被覆壁２２ａ側に設けられているガイド４０を「第１のガイド４０ａ」という。
【００５３】
キャップ本体２０において、第２のガイド４０ｂは第２の被覆壁２２ｂから第１の側壁２１ａに亘って形成されている。また、第１のガイド４０ａは第１の被覆壁２２ａから第２の側壁２１ｂに亘って形成されている。図７（ａ）に示すように、第２の被覆壁２２ｂ側から平面視した場合、両ガイド４０ａ，４０ｂは、キャップ本体２０の幅方向を二等分する仮想線を境に左右対称に形成されている。また、第１の被覆壁２２ａ側から見た場合も同様である。以上のことから、以下の説明では、両ガイド４０ａ，４０ｂのうち第２のガイド４０ｂについて説明する。次の説明における、第２のガイド４０ｂを第１のガイド４０ａに、第２の被覆壁２２ｂを第１の被覆壁２２ａに、第１の側壁２１ａを第２の側壁２１ｂに、第２の側壁２１ｂを第１の側壁２１ａに置き換えた場合、第１のガイド４０ａについての説明となるので、該第１のガイド４０ａについての説明は省略する。
【００５４】
図７（ａ）に示すように、第２のガイド４０ｂは、第２の被覆壁２２ｂにおいて、先端側スリット２３の基端側から、第２の被覆壁２２ｂと垂直方向に沿って切り込み形成されている。この第２のガイド４０ｂは、先端側スリット２３の基端側端部から第２の被覆壁２２ｂの幅方向における第１の側壁２１ａ側の端部まで形成されている。また、図７（ｂ）に示すように、第２のガイド４０ｂは、その第１の側壁２１ａ側の端部において、第１の側壁２１ａにおける第２の被覆壁２２ｂ側の端部から第１の被覆壁２２ａ側の中途位置まで切り込み形成されている。
【００５５】
このように、第２のガイド４０ｂは、図８に示すように鋏用キャップ１９に両刃体１３ａ，１３ｂを収容した状態で、先端側スリット２３の基端側端部から第２の被覆壁２２ｂの幅方向における第１の側壁２１ａ側の端部へ、第２の刃体１３ｂから離間するように形成されている。一方、第１のガイド４０ａは、先端側スリット２３の基端側端部から第１の被覆壁２２ａの幅方向における第２の側壁２１ｂ側の端部へ、第１の刃体１３ａから離間するように形成されている。
【００５６】
また、図７（ａ）に示すように、第２のガイド４０ｂは、キャップ本体２０の基端側へ張り出すように円弧状に湾曲形成され、該第２のガイド４０ｂの幅が前記先端側スリット２３の幅と等しくなるように形成されている。
【００５７】
次に、以上のように構成された鋏用キャップ１９に両刃体１３ａ，１３ｂを収容してなる鋏１１の作用について図８に基づき説明する。
鋏１１の両刃体１３ａ，１３ｂがキャップ本体２０に収容され、両鋏片１２が開放した状態で、キャップ本体２０の先端側スリット２３に紙Ｐａを挿入し、鋏１１の両柄部１４を閉動作（近接）させたり、開動作（離間）させたりして、紙Ｐａが切断される。そして、切断された紙Ｐａは、両ガイド４０ａ，４０ｂにより、先端側スリット２３からキャップ本体２０外方へ案内される。詳細に説明すると、切断された紙Ｐａは、図８に示すように、紙片Ｐａ１と紙片Ｐａ２に分かれる。両紙片Ｐａ１，Ｐａ２のうち第２の被覆壁２２ｂ側（図８の表裏方向における表側）の紙片Ｐａ１は、先端側スリット２３から第２のガイド４０ｂに沿ってキャップ本体２０の幅方向における第１の側壁２１ａ側外方へ案内（排出）される。同様に、第１の被覆壁２２ａ側（図８の表裏方向における裏側）の紙片Ｐａ２は、先端側スリット２３から第１のガイド４０ａに沿ってキャップ本体２０の幅方向における第２の側壁２１ｂ側外方へ案内（排出）される。
【００５８】
以上のように、両紙片Ｐａ１，Ｐａ２は、キャップ本体２０の幅方向において、互いに逆方向に案内されることになる。具体的には、紙片Ｐａ１は、第２のガイド４０ｂによって第２の刃体１３ｂから離間する方向へ案内される一方、紙片Ｐａ２は、第１のガイド４０ａによって第１の刃体１３ａから離間する方向へ案内される。それは、両刃体１３ａ，１３ｂにより切断される紙Ｐａの被切断箇所において、紙片Ｐａ１は第２の刃体１３ｂにより第１の側壁２１ａ側へ押され、紙片Ｐａ２は第１の刃体１３ａにより第２の側壁２１ｂ側へ押されるからである。
【００５９】
従って、本実施形態によれば前記第１実施形態の（１）〜（１１）と同様の効果に加えて、以下のような効果を奏する。
（１３）  鋏用キャップ１９は、ガイド４０を備えている。そのため、両刃体１３ａ，１３ｂにより切断された紙Ｐａ（両紙片Ｐａ１，Ｐａ２）は、ガイド４０により、先端側スリット２３からキャップ本体２０外方へ案内される。従って、両紙片Ｐａ１，Ｐａ２が先端側スリット２３に止まるのを抑制し、両紙片Ｐａ１，Ｐａ２をスムーズにキャップ本体２０外方へ案内（排出）することができる。また、ガイド４０は、両紙片Ｐａ１，Ｐａ２が先端側スリット２３に止まるのを抑制するので、先端側スリット２３において両紙片Ｐａ１，Ｐａ２が折れ曲がるのを抑制することができる。また、既存の鋏を使用した場合には、使用者が紙片を、鋏を持つ手とは逆の手で紙送りしていたが、鋏用キャップ１９では、ガイド４０により、両紙片Ｐａ１，Ｐａ２を手で紙送りすることなく、鋏１１を紙Ｐａに対して切り進めることができる。
【００６０】
（１４）  紙片Ｐａ１は、先端側スリット２３から第２のガイド４０ｂに沿ってキャップ本体２０の幅方向における第１の側壁２１ａ側外方へ案内（排出）される。同様に、紙片Ｐａ２は、先端側スリット２３から第１のガイド４０ａに沿ってキャップ本体２０の幅方向における第２の側壁２１ｂ側外方へ案内（排出）される。そのため、両紙片Ｐａ１，Ｐａ２がキャップ本体２０の基端側、即ち、両柄部１４側へ排出されるのを抑制することができる。従って、両紙片Ｐａ１，Ｐａ２が鋏１１を使用する使用者の手に接触するのを抑制することができる。
【００６１】
（１５）  両ガイド４０ａ，４０ｂは、円弧状に湾曲形成されている。従って、両紙片Ｐａ１，Ｐａ２をよりスムーズにキャップ本体２０外方へ案内（排出）することができる。
【００６２】
（１６）  両ガイド４０ａ，４０ｂによりキャップ本体２０外方へ案内された両紙片Ｐａ１，Ｐａ２が鋏１１を使用する使用者の手（両柄部１４を持つ手）に接触するのを抑制するために、両ガイド４０ａ，４０ｂの基端側端部と両柄部１４との間の距離を長く確保する必要がある。しかし、該距離を長く確保する程、先端側スリット２３と第２のガイド４０ｂ（第１のガイド４０ａ）とがなす角度が小さくなり、紙片Ｐａ１（紙片Ｐａ２）を先端側スリット２３から第２のガイド４０ｂ（第１のガイド４０ａ）へスムーズに案内しにくくなる。その結果、両紙片Ｐａ１，Ｐａ２を先端側スリット２３からキャップ本体２０外方へスムーズに案内しにくくなる。そこで、本実施形態では、両ガイド４０ａ，４０ｂがキャップ本体２０の基端側へ張り出すように湾曲形成されている。従って、両ガイド４０ａ，４０ｂの基端側端部と両柄部１４との間の距離を長く確保した状態においても、両紙片Ｐａ１，Ｐａ２を先端側スリット２３からキャップ本体２０外方へスムーズに案内することができる。
【００６３】
（１７）  両紙片Ｐａ１，Ｐａ２は、キャップ本体２０の幅方向において、互いに逆方向に案内される。即ち、第２のガイド４０ｂにより紙片Ｐａ１は第２の刃体１３ｂから離間する方向へ案内され、第１のガイド４０ａにより紙片Ｐａ２は第１の刃体１３ａから離間する方向へ案内される。紙片Ｐａ１（紙片Ｐａ２）は、紙Ｐａの切断時に、第２の刃体１３ｂ（第１の刃体１３ａ）により該第２の刃体１３ｂ（第１の刃体１３ａ）から離間する方向へ押される。従って、第２のガイド４０ｂ（第１のガイド４０ａ）は、紙片Ｐａ１（紙片Ｐａ２）が第２の刃体１３ｂ（第１の刃体１３ａ）により押される方向へ形成されているので、紙片Ｐａ１（紙片Ｐａ２）を先端側スリット２３から第２のガイド４０ｂ（第１のガイド４０ａ）へスムーズに押し出すことができる。また、紙片Ｐａ１（紙片Ｐａ２）を第２のガイド４０ｂ（第１のガイド４０ａ）からキャップ本体２０外方へスムーズに押し出すことができる。
【００６４】
なお、前記各実施形態は以下のような別の実施形態（別例）に変更して具体化してもよい。
・  前記各実施形態におけるキャップ本体２０の幅方向両端に滑り止め手段を設けても良い。例えば、キャップ本体２０の両側壁２１の外周面を梨地面状に形成する。この両側壁２１の外周面が滑り止め手段として機能する。このような構成としても、前記各実施形態と同様の効果を奏する。
【００６５】
・  前記各実施形態では、両柄部１４間に一対のコイルスプリング１８が設けられていたが、コイルスプリング１８の数は、適宜変更可能である。例えば、両柄部１４間に、１個や３個のコイルスプリング１８を設けても良い。
【００６６】
・  前記各実施形態における付勢手段を、コイルスプリング１８に代えて板バネや皿バネなどに変更しても良い。また、両柄部１４間に付勢手段を設けていなくても良い。
【００６７】
・  前記第１，３実施形態では、案内スリット２４がキャップ本体２０の基端側へ向かう程幅広に形成されていたが、案内スリット２４の幅は、案内スリット２４の長手方向において等しくなるように形成されていても良い。
【００６８】
・  前記各実施形態における鋏１１の両刃体１３ａ，１３ｂの形状及び両柄部１４の形状は適宜変更可能である。例えば、両刃体１３ａ，１３ｂの先端を丸く形成しても良い。また、両柄部１４から、ストッパー部材１４ｃを省略しても良い。このように、ストッパー部材１４ｃを省略した状態で、両柄部１４の対向面１４ｂに窪みを形成しても良い。また、両柄部１４の球面部１４ａに窪みを形成しても良い。さらに、両柄部１４の基端側に、両柄部１４を閉状態に保持する保持手段を設けても良い。
【００６９】
・  前記各実施形態では、キャップ本体２０が、その幅方向両端がキャップ本体２０の幅を狭くする方向へ湾曲するように形成されていたが、その幅は、デザイン等も考慮して、適宜変更可能である。例えば、その幅が、キャップ本体２０の長手方向において等しくなるように形成されていても良い。また、キャップ本体２０の幅を広くする方向へ湾曲するように形成されていても良い。
【００７０】
・  前記各実施形態では、キャップ本体２０の両側壁２１が互いに接近する方向へ湾曲するように形成されていたが、両側壁２１の形状は、デザイン等も考慮して、適宜変更可能である。例えば、両側壁２１は平板状をなしていても良い。また、両側壁２１は、互いに離間する方向へ湾曲するように形成されていても良い。
【００７１】
・  前記第１，３実施形態では、係合凹部Ｋは、切欠スリット２６を備えていたが、切欠スリット２６を省略しても良い。
・  前記各実施形成では、係合凹部Ｋが軸芯１５と凹凸の係合関係をなすことで鋏１１に対するキャップ本体２０の係合状態を保持したが、鋏１１の両刃体１３ａ，１３ｂをキャップ本体２０に収容した状態で、キャップ本体２０にどちらか一方の刃体１３ａ（１３ｂ）が着脱可能に係合されるようにしても良い。例えば、キャップ本体の側壁２１に一方の刃体１３ａ（１３ｂ）の先端を着脱可能に係合し、この係合状態を保持する係合手段を設けても良い。この場合、係合手段に保持される刃体１３ａ（１３ｂ）の長手方向の長さをもう一方の刃体１３ｂ（１３ａ）の長手方向の長さより長く形成しても良い。また、鋏用キャップ１９が、一方の刃体１３ａ（１３ｂ）が着脱可能に係合されてこの係合状態が保持されるように設けられた前記係合手段及び前記各実施形態の係合凹部Ｋの両方を備えていても良い。一方の刃体１３ａ（１３ｂ）が着脱可能に係合される係合手段を設けた場合をはじめとする上の構成では、両刃体１３ａ，１３ｂを開閉動作させる際に両刃体１３ａ，１３ｂの幅方向の隣接する端部のうち交差する部分が移動してできる仮想線が直線状となる。この仮想線に沿って一定幅に形成された先端側スリットを形成する。このような構成とすると、両刃体１３ａ，１３ｂを開閉動作させた場合に、キャップ本体２０が両刃体１３ａ，１３ｂに対して不安定に動くことを抑制することができる。
【００７２】
・  前記各実施形態におけるキャップ本体２０は、一対の側壁２１と一対の被覆壁２２とを含んで構成されていれば良い。例えば、一対の側壁２１の外方に外壁が設けられていても良い。この場合、被覆壁２２の幅方向の外郭形状が両外壁の外周面に沿う形状となっている。なお、前記第３実施形態のキャップ本体２０の場合、両ガイド４０ａ，４０ｂは、該両ガイド４０ａ，４０ｂにおけるキャップ本体２０の幅方向の端部において、両外壁に切り込み形成される。
【００７３】
・  前記第１，３実施形態において、係合凹部Ｋが切欠部２５から構成されるようにしても良い。即ち、案内スリット２４及び切欠スリット２６を省略しても良い。この場合、切欠部２５がキャップ本体２０の基端側に形成されている。
【００７４】
・  前記各実施形態において、係合凹部Ｋが軸芯１５の軸線方向において凹凸の係合関係をなすように形成しても良い。例えば、キャップ本体２０の両被覆壁２２の対向する対向面に係合凹部を形成しても良い。
【００７５】
・  前記各実施形態では、係合手段として係合凹部Ｋが設けられていたが、係合手段として係合凸部を設けても良い。この場合、鋏１１の軸芯１５部分は、両刃体１３ａ，１３ｂの表面から陥没するように形成され、係合凸部はこの陥没部分に係合する。
【００７６】
・  前記各実施形態では、先端側スリット２３が直線状であったが、先端側スリット２３は、前記仮想線の少なくとも一部を含むように形成されていれば良い。例えば、先端側スリット２３が、前記仮想線の途中からキャップ本体２０の先端側に対応する部分を含むように形成し、キャップ本体２０の先端側へ向かう程幅広となるように形成しても良い。また、先端側スリット２３が、前記仮想線の途中部分又は基端側部分を含むように、キャップ本体２０の両被覆壁２２に長尺状の貫通孔を形成しても良い。この貫通孔が先端側スリット２３に対応する。さらに、先端側スリット２３を複数設けても良い。即ち、先端側スリット２３が、前記鋏の両刃体をキャップ本体に収容して両刃体を最大に開放した状態で両刃体の幅方向の隣接する端部のうち交差する部分に対応する部位からキャップ本体２０の先端側へ放射状に延びるように形成しても良い。
【００７７】
・  前記第２実施形態における係合凹部Ｋの幅は、係合凹部Ｋの中途位置から先端側端部までの係合凹部Ｋの幅が等しくなるように形成しても良い。また、係合凹部Ｋの長手方向において、係合凹部Ｋの幅が等しくなるように形成しても良い。
【００７８】
・  前記各実施形態の鋏用キャップ１９において、キャップ本体２０の基端側の端部の形状は、両刃体１３ａ，１３ｂが挿入可能であって係合凹部Ｋを設けることができれば、その形状は適宜変更可能である。
【００７９】
・  前記第３実施形態では、第２のガイド４０ｂは第２の刃体１３ｂから離間する方向へ形成され、第１のガイド４０ａは第１の刃体１３ａから離間する方向へ形成されていたが、このような構成に限定されない。即ち、両ガイド４０ａ，４０ｂは、先端側スリット２３に連設され且つ先端側スリット２３から離間する方向へ形成されて両紙片Ｐａ１，Ｐａ２を先端側スリット２３からキャップ本体２０外方へ案内する構成となっていれば良い。例えば、両ガイドを先端側スリット２３の基端側からキャップ本体２０の基端側へ形成しても良い。この場合、両ガイドは、その基端側端部の側壁がその上端に向かってキャップ本体２０の基端側に傾斜するように形成する。また、両ガイドを、先端側スリット２３から離間するように、該先端側スリット２３の基端側の側壁に形成しても良い。具体的には、先端側スリット２３の基端側の側壁をその上端に向かって該先端側スリット２３から離間する方向へ傾斜するように形成する。
【００８０】
・  前記第３実施形態では、紙片Ｐａ１（紙片Ｐａ２）は、先端側スリット２３から第２のガイド４０ｂ（第１のガイド４０ａ）に沿ってキャップ本体２０の幅方向における第１の側壁２１ａ（第２の側壁２１ｂ）側外方へ案内（排出）されるようになっていたが、このような構成に限定されない。即ち、両ガイド４０ａ，４０ｂは、両紙片Ｐａ１，Ｐａ２を先端側スリット２３からキャップ本体２０外方へ案内する構成となっていれば良い。例えば、紙片Ｐａ１（紙片Ｐａ２）を、キャップ本体２０における、図８の表裏方向における表側（裏側）や第２の側壁２１ｂ（第１の側壁２１ａ）側外方へ案内する構成としても良い。
【００８１】
・  前記第３実施形態では、両ガイド４０ａ，４０ｂの一部が両側壁２１ａ，２１ｂに形成されていたが、全てが両被覆壁２２ａ，２２ｂに形成されていても良い。
【００８２】
・  前記第３実施形態では、両ガイド４０ａ，４０ｂがスリット状をなし、両ガイド４０ａ，４０ｂを介してキャップ本体２０の収容空間Ｓと外部が連通するようになっていたが、両ガイドがキャップ本体２０の外方へ開口する溝状をなすように形成しても良い。この場合、溝状をなす両ガイドが案内手段に相当する。また、両ガイド４０ａ，４０ｂの先端側端部において、両ガイド４０ａ，４０ｂの底壁が収容空間Ｓ側へ勾配するように形成すると良い。
【００８３】
・  前記第３実施形態では、両ガイド４０ａ，４０ｂが先端側スリット２３からキャップ本体２０の幅方向端部まで形成されていたが、先端側スリット２３からキャップ本体２０の幅方向端部側に向かう方向へ形成されていれば良い。例えば、両ガイド４０ａ，４０ｂがキャップ本体２０の幅方向端部近傍まで形成されるようにしても良い。この場合、両ガイド４０ａ，４０ｂにおけるキャップ本体２０の幅方向端部の側壁がその上端に向かってキャップ本体２０の幅方向端部側に傾斜するように形成する。
【００８４】
・  前記第３実施形態の両ガイド４０ａ，４０ｂを第２実施形態の鋏用キャップ１９に採用しても良い。
・  前記第３実施形態では、両ガイド４０ａ，４０ｂがキャップ本体２０の基端側へ張り出すように湾曲形成されていたが、直線状に形成されていても良い。また、両ガイド４０ａ，４０ｂを蛇行形状に形成しても良い。このような両ガイド４０ａ，４０ｂの形状は、前記溝状をなす両ガイドにも適用可能である。
【００８５】
・  前記第３実施形態においては、被切断物として紙Ｐａを例に挙げて説明したが、これに限らない。例えば、樹脂製シートやフィルムなどであっても良い。即ち、鋏１１によって切断可能であって、先端側スリット２３に挿入可能なシート状のものであれば良い。
【００８６】
次に、上記実施形態及び別例から把握できる技術的思想について、以下に追記する。
・  前記係合手段は、両鋏片のうちいずれか一方の鋏片に対して着脱可能に係合し、この係合状態を保持する。
【００８７】
・  前記係合手段は、両刃体のうちいずれか一方の刃体に対して着脱可能に係合し、この係合状態を保持する。
・  前記係合手段は、両刃体のうちいずれか一方の刃体の先端に対して着脱可能に係合し、この係合状態を保持する。
【００８８】
・  前記係合手段は、キャップ本体の幅方向両端に設けられる一対の側壁のうちいずれか一方に形成されている。
・  前記両刃体のうち係合手段に係合保持される刃体の長手方向の長さは、もう一方の刃体の長手方向の長さより長く形成されている。
【００８９】
・  前記案内スリットは、前記キャップ本体の基端側へ向かう程幅広に形成されている。
・  前記付勢手段は、両柄部間に設けられている。
【００９０】
・  前記キャップ本体には、その幅方向両端に滑り止め手段が設けられている。
・  前記先端側スリットは、前記キャップ本体の端部から、前記鋏の両刃体をキャップ本体に収容して両刃体を最大に開放した状態で両刃体の幅方向の隣接する端部のうち交差する部分に対応する部位まで形成されている。
【００９１】
・  前記案内スリットにおける前記キャップ本体の先端側の端部の幅は、前記鋏の軸芯の外径より小さく形成されている。
・  前記係合凹部は、少なくとも、両刃体の基端側に位置する前記キャップ本体の基端側から前記軸芯の軸線方向に沿って形成されて前記軸芯を前記キャップ本端の先端側へ案内する案内スリットと、該案内スリットに連設され、且つ案内スリットにおける前記キャップ本体の先端側の端部の幅より幅広に形成されて前記軸芯との係合状態を保持する切欠部とから構成されている。
【００９２】
・  前記係合凹部は、さらに、前記切欠部における前記キャップ本体の先端側から前記軸芯の軸線方向に沿って形成される切欠スリットを備えている。
・  前記両鋏片を互いに開放する方向へ付勢する付勢手段を備えている。
【００９３】
・  前記キャップ本体は、その幅方向両端に設けられる一対の側壁とキャップ本体の厚さ方向両端に設けられる一対の被覆壁とを含んで構成され、前記係合手段は両被覆壁に形成され、前記先端側スリットは前記キャップ本体における両被覆壁の端部から前記軸芯の軸線方向に沿って形成され、前記案内手段はその少なくとも一部が両被覆壁に形成される一対のガイドから構成されて、両ガイドはキャップ本体の幅方向において互いに逆方向へ延設されている。
【００９４】
・  前記キャップ本体に前記鋏の両刃体を収容した状態で、前記両ガイドは、それぞれ、両刃体のうち各ガイドが設けられる被覆壁側の刃体から離間する方向へ形成されている。
【００９５】
【発明の効果】
本願の請求項１〜請求項８に記載の発明によれば、汎用性を備えると共に鋏の使用時及び不使用時に関わらず鋏の安全性を向上させることができる。
【００９６】
また、請求項９に記載の発明によれば、使用時及び不使用時に関わらず安全性を向上させることができる。
【図面の簡単な説明】
【図１】第１実施形態における鋏用キャップに鋏の両刃体が収容された状態を示す平面図。
【図２】同じく、鋏の両柄部及び両刃体の一部を側面視した場合における一部切り欠き側面図。
【図３】同じく、（ａ）は、鋏用キャップの平面図、（ｂ）は、図３（ａ）のＡ−Ａ線断面の矢視図。
【図４】同じく、鋏の両刃体を鋏用キャップに収容する前の状態を示す平面図。
【図５】同じく、鋏用キャップに鋏の両刃体が収容された状態で、両刃体が重なり合う閉状態を示す平面図。
【図６】（ａ）は、第２実施形態における鋏用キャップに鋏の両刃体を収容した状態の鋏の軸芯付近の一部切り欠き平面図、（ｂ）は、同じく、鋏の軸芯付近の一部切り欠き側面図。
【図７】（ａ）は、第３実施形態における鋏用キャップの平面図、（ｂ）は、同じく鋏用キャップの側面図。
【図８】同じく、鋏用キャップに鋏の両刃体が収容された状態で、紙が切断される状態を示す平面図。
【図９】従来のカバーを備えた鋏の平面図。
【図１０】他の従来のケースを備えた鋏の平面図。
【符号の説明】
Ｋ…係合手段としての係合凹部、Ｐａ…被切断物としての紙、１１…鋏、１２…鋏片、１３，１３ａ，１３ｂ…刃体、１４…柄部、１５…軸芯、１９…鋏用キャップ、２０…キャップ本体、２１，２１ａ，２１ｂ…側壁、２２，２２ａ，２２ｂ…被覆壁、２３…先端側スリット、４０，４０ａ，４０ｂ…案内手段としてのガイド。
【図１】
2004305690.tif 000003
【図２】
2004305690.tif 000004
【図３】
2004305690.tif 000005
【図４】
2004305690.tif 000006
【図５】
2004305690.tif 000007
【図６】
2004305690.tif 000008
【図７】
2004305690.tif 000009
【図８】
2004305690.tif 000010
【図９】
2004305690.tif 000011
【図１０】
2004305690.tif 000012